(57)【特許請求の範囲】
【請求項１】
隣接する太陽電池パネルをそれぞれ保持する枠体間の空隙に間装される間装部材であって、
第一部材及び第二部材が一体化されており、
前記第一部材は、
それぞれ少なくとも底面が平面であり、同じ高さで同一の軸方向に延びている第一当接部及び第二当接部と、
前記第一当接部及び前記第二当接部と平行な面または同一面上にある面を上面とする第一中間部を有し、前記第一当接部及び前記第二当接部を連結している連結部と、
該連結部と前記第一当接部との接続部から下方に延出し、少なくとも前記第一当接部側が平面となった第一側壁部と、
該第一側壁部より前記第二当接部側の前記連結部の底面において前記軸方向に延びている第一のヒンジ構成部と、
前記第一中間部に貫設された、前記第一当接部から前記第二当接部に向かう方向に長い長孔部とを具備し、
前記第二部材は、
前記第一のヒンジ構成部と回動可能に組み付けられてヒンジを形成している第二のヒンジ構成部と、
該第二のヒンジ構成部の側面から前記軸方向に直交する方向に延びている下壁部と、
該下壁部から鈍角をなすように屈曲して延出している第二中間部と、
該第二中間部が、前記ヒンジの軸周りの回動により前記第一中間部と平行となったときに、前記第二当接部と平行になると共に前記第二当接部の下方に位置する下端部と、
前記第二中間部に形成された雌ネジ孔部と、
を具備することを特徴とする間装部材。
【請求項２】
前記第一部材は、前記第一当接部及び前記第二当接部より上方まで突出した雪止め部を更に具備する
ことを特徴とする請求項１に記載の間装部材。
【請求項３】
前記第二部材は前記第一部材より前記軸方向の長さが短く、
一つの前記第一部材に対して複数の前記第二部材を具備する
ことを特徴とする請求項１または請求項２に記載の間装部材。
【請求項４】
屋根上に隣接して配されている太陽電池パネルの内、軒側に配されている太陽電池パネルの棟側の端辺を保持している第一枠体、及び、棟側に配されている太陽電池パネルの軒側の端辺を保持している第二枠体が、間に空隙が形成されている状態で、且つ、それぞれの底面部より下方に空隙が形成されている状態で屋根面に固定されており、請求項１乃至請求項３の何れか一つに記載の間装部材が前記第一枠体と前記第二枠体との間の前記空隙に取付けられている間装部材の取付構造であり、
前記第一枠体の上面部に前記第一当接部の底面が当接し、前記第二枠体の上面部に前記第二当接部の底面が当接していると共に、
前記第一枠体の側面部に前記第一側壁部の前記第一当接部側の平面が当接しており、
前記長孔部に挿通されたボルトのボルト軸部が前記雌ネジ孔部と螺合し、
前記下端部が前記第二枠体の底面部に当接している
ことを特徴とする間装部材の取付構造。
【発明の詳細な説明】
【技術分野】
【０００１】
本発明は、隣接する太陽電池モジュール間に取付ける間装部材、及び、該間装部材の取付構造に関するものである。
【背景技術】
【０００２】
太陽電池パネルの周縁が枠体で保持された太陽電池モジュールの複数を屋根上に設置する場合、太陽電池モジュール間に空隙が生じることがある。例えば、屋根面に長尺の桟材の複数を平行に並設し、複数の太陽電池モジュールのそれぞれを、その一対の辺が桟材と直交するように桟材に載置した上で、太陽電池モジュールの枠体と桟材とが交差する位置で、桟材に載置される部分を有する固定部材によって隣接する太陽電池モジュール双方の枠体を桟材に固定する場合である（例えば、特許文献１参照）。このような固定部材を用いることにより、屋根面への桟材の設置は、太陽電池モジュールの一対の辺の長さより短い間隔で桟材を設置するものであれば足りる。そのため、太陽電池モジュール自体を、その端辺を同方向に延びる桟材に載置して桟材に支持させる場合とは異なり、太陽電池モジュールのサイズに合わせて桟材の間隔を調整する必要がなく、桟材の設置にかかる手間や工期を大幅に削減できるという利点がある。
【０００３】
上記のように太陽電池モジュール間に空隙が存在する場合、主に外観上の理由で、その空隙を埋めるための間装部材が要請される。特許文献１の技術でも、太陽電池モジュールの一対の辺と同じ長さの間装部材（間カバー）を、太陽電池モジュール間の空隙で固定部材に支持させている。
【０００４】
しかしながら、このように間装部材を固定部材に支持させると、その支持が不十分となる場合があった。例えば、太陽電池モジュールを載置するためには、太陽電池モジュール一つ当たり二本以上の桟材が必要であるが、桟材の本数を抑えるために、桟材を太陽電池モジュールの長辺と交差させ、本数も最低限の二本とする場合がある。その場合、太陽電池モジュールと桟材とが交差する位置に配される固定部材どうしの距離は大きい。つまり、距離が離れている固定部材のみに支持されている長尺の間装部材では、何かによって支持されていない部分が長い。そのため、間装部材の取付強度が不十分となるおそれや、支持されていない部分が重力のために撓むおそれがあった。
【先行技術文献】
【特許文献】
【０００５】
【特許文献１】特許第５２０２４３０号公報
【発明の概要】
【発明が解決しようとする課題】
【０００６】
そこで、本発明は、上記の実情に鑑み、隣接する太陽電池パネルをそれぞれ保持する枠体間の空隙に十分な取付強度で取付けることができ、長尺であっても撓むおそれが低減されている間装部材、及び、該間装部材の取付構造の提供を、課題とするものである。
【課題を解決するための手段】
【０００７】
上記の課題を解決するため、本発明にかかる間装部材は、
「隣接する太陽電池パネルをそれぞれ保持する枠体間の空隙に間装される間装部材であって、
第一部材及び第二部材が一体化されており、
前記第一部材は、
それぞれ少なくとも底面が平面であり、同じ高さで同一の軸方向に延びている第一当接部及び第二当接部と、
前記第一当接部及び前記第二当接部と平行な面または同一面上にある面を上面とする第一中間部を有し、前記第一当接部及び前記第二当接部を連結している連結部と、
該連結部と前記第一当接部との接続部から下方に延出し、少なくとも前記第一当接部側が平面となった第一側壁部と、
該第一側壁部より前記第二当接部側の前記連結部の底面において前記軸方向に延びている第一のヒンジ構成部と、
前記第一中間部に貫設された、前記第一当接部から前記第二当接部に向かう方向に長い長孔部とを具備し、
前記第二部材は、
前記第一のヒンジ構成部と回動可能に組み付けられてヒンジを形成している第二のヒンジ構成部と、
該第二のヒンジ構成部の側面から前記軸方向に直交する方向に延びている下壁部と、
該下壁部から鈍角をなすように屈曲して延出している第二中間部と、
該第二中間部が、前記ヒンジの軸周りの回動により前記第一中間部と平行となったときに、前記第二当接部と平行になると共に前記第二当接部の下方に位置する下端部と、
前記第二中間部に形成された雌ネジ孔部と、
を具備する」ものである。
【０００８】
「第一当接部及び前記第二当接部を連結する連結部」が「前記第一当接部及び前記第二当接部と平行な面を上面とする第一中間部を有する」場合、連結部は第一中間部に加え、第一中間部を第一当接部と連結する部分と、第一中間部を第二当接部に連結する部分とを有する。一方、「連結部」が「記第一当接部及び前記第二当接部と同一面上にある面を上面とする第一中間部」を有する場合、連結部は第一中間部のみからなる構成であっても、第一中間部に加えて、第一中間部を第一当接部に連結する高さの異なる部分、及び第一中間部を第二当接部に連結する高さの異なる部分の少なくとも一方を有する構成であってもよい。
【０００９】
「第一のヒンジ構成部」と「第二のヒンジ構成部」とは、互いが回動可能に組み付けられて「ヒンジ」を形成するものであり、第二のヒンジ構成部をヒンジ軸とし第一のヒンジ構成部をヒンジ軸挿入部とすることも、第一のヒンジ構成部をヒンジ軸とし第二のヒンジ構成部をヒンジ軸挿入部とすることもできる。
【００１０】
「該第二中間部が、前記ヒンジの軸周りの回動により前記第一当接部及び前記第二当接部と平行となったときに、前記第二当接部と平行になると共に前記第二当接部の下方に位置する下端部」としては、第二中間部に他の部分を介して連結されている第二中間部と平行な下端部、第二中間部と同一面上に延出している下端部、を採用可能である。
【００１１】
本構成の間装部材は、第一部材の第一のヒンジ構成部と第二部材の第二のヒンジ構成部が組み付けられてヒンジを形成していることにより、第二部材が第一部材に対してヒンジの軸周りに回動する。この第二部材の回動により、第一側壁部の延長線から下端部先端までの距離を変えることができる。そして、第一部材の第一中間部には長孔部が貫設されており、第二部材の第二中間部には雌ネジ孔部が形成されている。これにより、ボルトのボルト軸部を長孔部に挿入し先端を雌ネジ孔部に螺合させた状態とすると、ボルト軸部の姿勢によって第二部材を第一部材に対して回動させることができる。そして、ボルト軸部の螺進によりボルト頭部を第一中間部の上面に当接させると、ボルト軸部の第一中間部に対する角度は直角となり、第二中間部は第一中間部と平行となる。つまり、第二中間部は第一当接部及び第二当接部と平行となるため、下端部は第二当接部と平行となると共に第二当接部の下方に位置する。
【００１２】
従って、第二部材の回動により、第一側壁部の延長線から下端部先端までの距離を、隣接する太陽電池パネルをそれぞれ保持している枠体間の空隙の距離より小さくした状態で、間装部材を上方から空隙に挿入し、第一当接部及び第二当接部をそれぞれ枠体の上面に当接させることができる。これにより、間装部材は隣接する枠体によって支持される。屋根に傾斜がある場合、第一当接部を軒側の枠体に当接させれば、第一側壁部が軒側の枠体の側面部に当接する。そして、上記のように雌ネジ孔部にボルト軸部を螺合させたボルトを螺進させ、ボルト頭部を第一中間部の上面に当接させると、下端部は第二当接部と平行となると共に第二当接部の下方に位置する。つまり、下端部は、第二当接部が当接している棟側の枠体の底面の下方に延出した状態となる。
【００１３】
このように本構成の間装部材が枠体間に取付けられた間装部材の取付構造では、枠体間の空隙が第一部材によって被覆される。また、屋根の傾斜によって間装部材に対して第一当接部側に向かう力が働いても、棟側の枠体の底面の下方にある下端部が枠体の底面に当接して抗するため、間装部材の姿勢が安定して維持される。つまり、第一当接部及び第二当接部がそれぞれ隣接する太陽電池パネルの枠体の上面に当接するように載置されることにより、第一部材は軸方向の全長にわたり、隣接する枠体によって支持されるため、間装部材が軸方向に長い長尺の部材であっても、撓むことがない。加えて、第一部材が軸方向の全長にわたり枠体に支持されており、支持された間装部材の姿勢が第一部材と第二部材との協働により安定するため、取付強度が高い利点を有する。
【００１４】
また、隣接する太陽電池の枠体間の空隙に、上方から挿入して取付けることができるため、枠体が既に屋根上に固定された後であっても、容易に間装部材を取付けて枠体間の空隙を埋めることができる。
【００１５】
本発明にかかる間装部材は、上記構成に加え、
「前記第一部材は、前記第一当接部及び前記第二当接部より上方まで突出した雪止め部を更に具備する」ものとすることができる。
【００１６】
「雪止め部」は、第一当接部から上方に突出している構成であっても、第二当接部から上方に突出している構成であってもよい。これらの場合、雪止め部は当然に「前記第一部材は、前記第一当接部及び前記第二当接部より上方まで突出した」構成である。また、「雪止め部」は、連結部から上方に突出している構成であってもよい。第一当接部及び第二当接部より低い高さで連結部が両者を連結している場合であって、その低い部分から雪止め部が突出している場合、雪止め部は第一当接部及び第二当接部より上方まで突出する長さに設定される。なお、雪止め部の長さは、第一部材の軸方向の全長にわたる長さであっても、第一部材の軸方向の全長より短いものであっても良く、短い場合は一つの間装部材に対して複数を設けることができる。
【００１７】
本構成によれば、隣接する太陽電池パネルをそれぞれ保持する枠体間の空隙を埋めるための間装部材に、太陽電池パネル上の積雪の滑落を抑止する雪止め部材としての作用を兼ねさせることができる。
【００１８】
本発明にかかる間装部材は、上記構成において、
「前記第二部材は前記第一部材より前記軸方向の長さが短く、
一つの前記第一部材に対して複数の前記第二部材を具備する」ものとすることができる。
【００１９】
上記のように、第一部材によって枠体間の空隙を埋め、第一部材と第二部材との協働によって間装部材の枠体への取付け姿勢を安定させるためには、第二部材は第一部材においてボルト軸を挿通する長孔部が設けられる位置に対応させて、長孔部の数だけあれば足りる。このような構成とすることにより、間装部材が非常に長尺であっても、必要な材料を低減しコストを抑えることができると共に、間装部材を軽量化することができる。
【００２０】
次に、本発明にかかる間装部材の取付構造（以下、単に「取付構造」と称することがある）は、
「屋根上に隣接して配されている太陽電池パネルの内、軒側に配されている太陽電池パネルの棟側の端辺を保持している第一枠体、及び、棟側に配されている太陽電池パネルの軒側の端辺を保持している第二枠体が、間に空隙が形成されている状態で、且つ、それぞれの底面部より下方に空隙が形成されている状態で屋根面に固定されており、上記に記載の間装部材が前記第一枠体と前記第二枠体との間の前記空隙に取付けられている間装部材の取付構造であり、
前記第一枠体の上面部に前記第一当接部の底面が当接し、前記第二枠体の上面部に前記第二当接部の底面が当接していると共に、
前記第一枠体の側面部に前記第一側壁部の前記第一当接部側の平面が当接しており、
前記長孔部に挿通されたボルトのボルト軸部が前記雌ネジ孔部と螺合し、
前記下端部が前記第二枠体の底面部に当接している」ものである。
【００２１】
これは、上記構成の間装部材を、ボルトを使用して第一枠体及び第二枠体間の空隙に取付けることにより形成される間装部材の取付構造であり、上述の作用効果を奏する。
【発明の効果】
【００２２】
以上のように、本発明の効果として、隣接する太陽電池パネルをそれぞれ保持する枠体間の空隙に十分な取付強度で取付けることができ、長尺であっても撓むおそれが低減されている間装部材、及び、該間装部材の取付構造を、提供することができる。
【図面の簡単な説明】
【００２３】
【図１】図１（ａ）は本発明の第一実施形態である間装部材の斜視図、図１（ｂ）は第一実施形態の間装部材について、ヒンジの軸周りに第二部材を回動させた状態の斜視図である。
【図２】図２（ａ）〜図２（ｃ）は、第一実施形態の間装部材の第一枠体及び第二枠体への取付け及び取付構造を説明する断面図である。
【図３】第一実施形態の間装部材の取付構造を示す分解斜視図である。
【図４】図４（ａ）及び図４（ｂ）は第一実施形態の変形例である間装部材の第一枠体及び第二枠体への取付け及び取付構造を説明する断面図であり、図４（ｃ）は該間装部材の斜視図である。
【図５】図５（ａ）〜図５（ｃ）は、第一実施形態の第二の変形例の間装部材の第一枠体及び第二枠体への取付け及び取付構造を説明する断面図である。
【図６】第一実施形態の第二の変形例及び第三の変形例の間装部材の取付構造を示す分解斜視図である。
【図７】図７（ａ）及び図７（ｂ）は本発明の第二実施形態である間装部材の第一枠体及び第二枠体の取付け及び取付構造を説明する断面図であり、図７（ｃ）は第二実施形態の変形例である間装部材の取付構造を説明する断面図である。
【図８】図８（ａ）〜図８（ｃ）は、第三実施形態の間装部材の第一枠体及び第二枠体への取付け及び取付構造を説明する断面図である。
【図９】第三実施形態の間装部材の取付構造を示す分解斜視図である。
【図１０】図１０（ａ）〜図１０（ｃ）は、間装部材の軒カバー及び第二枠体の間への取付け及び取付構造を、第二実施形態の第三の変形例の間装部材を用いて例示する断面図である。
【図１１】太陽電池パネルを保持する第一枠体及び第二枠体を、間に空隙が形成され、且つ、それぞれの底面部より下方に空隙が形成されるように、固定部材を介して桟材に固定した状態を例示する断面図である。
【発明を実施するための形態】
【００２４】
以下、本発明の複数の実施形態の間装部材及びその取付構造について説明する。まず、第一実施形態の間装部材１ａの構成について、図１及び図２を用いて説明する。なお、間装部材１ａは軸方向Ｙに細長い部材であるが、図１は軸方向Ｙの途中で切断した状態で示す部分斜視図である。
【００２５】
間装部材１ａは、第一部材１０及び第二部材２０が一体化されたものである。第一部材１０は、それぞれ少なくとも底面が平面であり、同じ高さで同一の軸方向Ｙに延びている第一当接部１１及び第二当接部１２と、第一当接部１１及び第二当接部１２と同一面上にある面を上面とする第一中間部１３ｄを有し、第一当接部１１及び第二当接部１２を連結している連結部１３と、連結部１３と第一当接部１１との接続部から下方に延出し、少なくとも第一当接部１１側が平面となった第一側壁部１４と、第一側壁部１４より第二当接部１２側の連結部１３の底面において軸方向Ｙに延びているヒンジ軸挿入部１７と、第一中間部１３ｄに貫設された、第一当接部１１から第二当接部１２に向かう方向に長い長孔部１８とを具備している。
【００２６】
また、第二部材２０は、ヒンジ軸挿入部１７と回動可能に組み付けられてヒンジを形成しているヒンジ軸２７と、ヒンジ軸２７の側面から軸方向Ｙに直交する方向に延びている下壁部２１と、下壁部２１から鈍角をなすように屈曲して延出している第二中間部２３と、第二中間部２３が、ヒンジの軸周りの回動により第一当接部１１及び第二当接部１２と平行となったときに、第二当接部１２と平行になると共に第二当接部１２の下方に位置する下端部２５と、第二中間部２３に形成された雌ネジ孔部２８とを具備している。ここで、ヒンジ軸挿入部１７が本発明の「第一のヒンジ構成部」に相当し、ヒンジ軸２７が本発明の「第二のヒンジ構成部」に相当する。
【００２７】
より詳細に説明すると、第一部材１０の第一当接部１１及び第二当接部１２はそれぞれ細長い平板状であり、上面が同じ高さとなるように平板状の連結部１３で連結されている。つまり、連結部１３は第一当接部１１及び第二当接部１２と同一面上にある面を上面とし、本実施形態では連結部１３と第一中間部１３ｄとは同一の構成である。また、連結部１３を上面側からみたとき、第一当接部１１、連結部１３、及び第二当接部１２に明確な境界はない。第一当接部１１及び第二当接部１２の厚さは同一であるが、連結部１３はそれより若干厚さが大きい。これにより、第一部材１０の底面において、第二当接部１２と連結部１３との接続部には段差があり第二側壁部１６を形成している。第一当接部１１と連結部１３との接続部からは、連結部１３の厚さより更に大きく突出するように第一側壁部１４が下方に延出している。ヒンジ軸挿入部１７は、第一側壁部１４と連続するように形成されており、軸方向Ｙに沿って下方に開口するスリットが形成された円筒状である。
【００２８】
一方、第二部材２０の下壁部２１は、軸方向Ｙに細長い平板状であり、その一端に円柱状のヒンジ軸２７が設けられている。このヒンジ軸２７の軸方向は、間装部材１ａにおける軸方向Ｙと同一である。下壁部２１の他端からは、下壁部２１と鈍角を形成するように平板状の第二中間部２３が延出している。本実施形態では、この第二中間部２３と下端部２５とは、第二下壁部２２を介して接続されている。より具体的には、第二中間部２３の端部からは下方に向かって直角に平板状の第二下壁部２２が延出しており、更に第二下壁部２２の端部からは、第二中間部２３とは反対側に向かって直角に平板状の下端部２５が延出している。第二中間部２３と下端部２５とは、それぞれ第二下壁部２２に対して直角をなすため、両者は平行である。これにより、ヒンジの軸周りの回動により第二中間部２３が第一当接部１１及び第二当接部１２と平行となったとき、下端部２５は第二当接部１２と平行になる。
【００２９】
なお、第一部材１０及び第二部材２０は、それぞれ金属により一体成形されている。例えば、軸方向Ｙに直交する断面が単一形状の長尺材を押出成形によって形成し、所望の長さに切断することにより、第一部材１０及び第二部材２０をそれぞれ製造することができる。その後、第一部材１０の軸方向Ｙに直交する端面におけるヒンジ軸挿入部１７の開口から、第二部材２０のヒンジ軸２７を挿入し、下壁部２１をヒンジ軸挿入部１７のスリットから突出させる。これにより、一体化された第一部材１０と第二部材２０とが、ヒンジの軸周りに相対的に回動可能な間装部材１ａを製造することができる。
【００３０】
次に、屋根上に隣接して配されている太陽電池パネルＰの内、軒側に配されている太陽電池パネルＰの棟側の端辺を保持している第一枠体３０ａ、及び、棟側に配されている太陽電池パネルＰの軒側の端辺を保持している第二枠体３０ｂに間装部材１ａを取付けることにより、その取付構造を構築する方法について、主に図２及び図３を用いて説明する。
【００３１】
まず、間装部材１ａの取付けに先立ち、第一枠体３０ａ及び第二枠体３０ｂを、間に空隙Ｓが形成されている状態で、且つ、それぞれの底面部３３より下方に空隙が形成されている状態で屋根面に固定する。そのためには、例えば、図１１に示すように、屋根面に屋根の流れ方向に平行に長尺の桟材８０を複数並設し、固定部材５０を介して第一枠体３０ａ及び第二枠体３０ｂを桟材８０に取付ける。
【００３２】
ここで、第一枠体３０ａ及び第二枠体３０ｂは、同一の構成であり、間装部材１ａとの位置関係においてのみ区別されるものである。より具体的には、第一枠体３０ａ及び第二枠体３０ｂはそれぞれ、上下に延びている平板状の側面部３２と、側面部３２の上端から直角に延出している上面部３１と、側面部３２の下端から上面部３１と同一の方向に延出している底面部３３と、上面部３１より下方で上面部３１と同一の方向に側面部３２から延出しており、上面部３１との間で太陽電池パネルＰの端辺を保持する下保持部３４と、側面部３２と平行に延び下保持部３４と底面部３３とを連結している補強部３５とを備えている。なお、第一枠体３０ａ及び第二枠体３０ｂはそれぞれ、軸方向Ｙに直交する断面が単一形状の長尺材であり、例えば、金属の押出成形によって形成することができる。
【００３３】
このような第一枠体３０ａ及び第二枠体３０ｂを桟材８０に固定する固定部材５０は、スペーサ部材５１と押圧部材５２とを具備している。スペーサ部材５１は、桟材８０の上面に載置される一対の脚板部５１ａと、一対の脚板部５１ａの上端を連結している天板部５１ｂとを有している。押圧部材５２は、第一枠体３０ａ及び第二枠体３０ｂの上面部３１にそれぞれ当接する細長い平板状の一対の押圧部５２ａと、一対の押圧部５２ａそれぞれの内側の端部から下方へ直角に延出している一対の立板部５２ｂと、一対の立板部５２ｂを連結している平板状の基板部５２ｃとを有している。また、スペーサ部材５１における天板部５１ｂと、押圧部材５２における基板部５２ｃの中心には、ボルト５４が貫通する貫通孔５１ｃ，５２ｄがそれぞれ設けられている。
【００３４】
このような構成の固定部材５０で第一枠体３０ａ及び第二枠体３０ｂを固定する桟材としては、角形の鋼管で、その軸方向に延びるスリット８０ｓが上面に設けられている桟材８０を使用することができる。そして、スリット８０ｓの幅よりも大径の頭部５４ａと、スリット８０ｓの幅よりも小径の雄ネジ部５４ｂを有するボルト５４を倒立させてスリット８０ｓの端部から挿入し、頭部５４ａがスリット８０ｓの内部に位置し、雄ネジ部５４ｂが桟材８０の上面から上方に延び出している状態とする。この状態のボルト５４を、固定部材５０で第一枠体３０ａ及び第二枠体３０ｂを固定する所望の位置まで、スリット８０ｓに沿ってスライドさせる。
【００３５】
次に、スペーサ部材５１を、一対の脚板部５１ａが下方を向き、一対の脚板部５１ａが離隔する方向を桟材８０の軸方向に一致させた状態として、天板部５１ｂの貫通孔５１ｃにボルト５４の雄ネジ部５４ｂを下方から挿通しながら桟材８０の上面に載置する。天板部５１ｂより上方に延び出している雄ネジ部５４ｂにナット５５ａを留め付け、スペーサ部材５１を桟材８０に固定する。この状態において、ボルト５４の雄ネジ部５４ｂはナット５５ａより更に上方まで延び出している。
【００３６】
桟材８０に固定されたスペーサ部材５１の一対の脚板部５１ａのうち軒側に位置する脚板部５１ａの外側に、側面部３２を当接させながら第一枠体３０ａを桟材８０の上面に載置する。また、棟側に位置する脚板部５１ａの外側に、側面部３２を当接させながら第二枠体３０ｂを桟材８０の上面に載置する。次に、基板部５２ｃを下方に向けた押圧部材５２の貫通孔５２ｄに、ナット５５ａより上方に延び出している雄ネジ部５４ｂを下方から挿通する。そして、押圧部材５２の一対の押圧部５２ａの一方及び一対の立板部５２ｂの一方を、それぞれ第一枠体３０ａの上面部３１及び側面部３２に当接させると共に、押圧部５２ａの他方及び立板部５２ｂの他方を、それぞれ第二枠体３０ｂの上面部３１及び側面部３２に当接させる。
【００３７】
この状態で、基板部５２ｃより上方に延び出している雄ネジ部５４ｂにナット５５ｂを留め付ける。これにより、第一枠体３０ａ及び第二枠体３０ｂは押圧部材５２によって上方から押圧されるように桟材８０に固定される。なお、予めナット５５ａ，５５ｂを雄ネジ部５４ｂに螺合させ、ボルト５４でスペーサ部材５１と押圧部材５２とを仮留めした状態で、ボルト５４を桟材８０のスリット８０ｓに挿入しても良い。
【００３８】
このように、第一枠体３０ａ及び第二枠体３０ｂが固定部材５０によって桟材８０を介して屋根面に固定されると、隣接する固定部材５０の間では、第一枠体３０ａ及び第二枠体３０ｂそれぞれの側面部３２の間に、固定部材５０のスペーサ部材５１における一対の脚板部５１ａ間の距離、及び、押圧部材５２における一対の立板部５２ｂ間の距離に相当する空隙Ｓが形成される。また、桟材８０と桟材８０の間では、第一枠体３０ａ及び第二枠体３０ｂの底面部３３は、桟材８０の高さ分だけ屋根面より高く位置し下方に空隙が形成される。
【００３９】
次に、第一枠体３０ａ及び第二枠体３０ｂへの間装部材１ａの取付けについて説明する。まず、第一部材１０の長孔部１８にボルト９０のボルト軸部９２を上方から挿通し、ボルト軸部９２の先端部を第二部材２０の雌ネジ孔部２８に螺合させる。そして、第一当接部１１を第一枠体３０ａ側に向け、下端部２５を下方に向けた状態で、間装部材１ａを第一枠体３０ａと第二枠体３０ｂとの間の空隙Ｓの上方に位置させる。
【００４０】
この状態で、第二部材２０を第一部材１０に対してヒンジの軸周りに回動させることができる。第一部材１０においてボルト軸部９２を挿通させている貫通孔は長孔部１８であるため、第二部材２０の回動に伴ってボルト軸部９２が傾くことが許容されている。ここで、下壁部２１と第二中間部２３との境界線が第一側壁部１４の延長線上に達するまで第二部材２０が回動した状態で、第一側壁部１４の延長線と下端部２５の先端との距離Ｌ１は、枠体間の空隙Ｓの距離より短くなるように設定される（図２（ａ）参照）。従って、この状態で間装部材１ａを下降させ、第一枠体３０ａと第二枠体３０ｂとの空隙Ｓに挿入することができる。そして、第一側壁部１４を第一枠体３０ａの側面部３２に当接させつつ第一当接部１１を第一枠体３０ａの上面部３１に当接させ、第二当接部１２を第二枠体３０ｂの上面部３１に当接させる（図２（ｂ）参照）。
【００４１】
この状態で、ボルト軸部９２を雌ネジ孔部２８に対して螺進させ、ボルト頭部９１が第一部材１０の第一中間部１３ｄ（連結部１３）の上面に当接すると、ボルト軸部９２は第一中間部１３ｄと直交する。これにより、第二部材２０の第二中間部２３は第一中間部１３ｄと平行になり、第二中間部２３に平行な下端部２５は第一中間部１３ｄと同一面上にある第二当接部１２と平行となると共に、第二当接部１２の下方に位置する（図２（ｃ）参照）。
【００４２】
ここで、第一側壁部１４と第二下壁部２２との距離Ｌ２は、第一枠体３０ａ及び第二枠体３０ｂ間の空隙Ｓの距離より、僅かに小さい設定とする（例えば、−０．１ｍｍ〜−５．０ｍｍ）。また、間装部材１ａの下端部２５が第二当接部１２の下方に位置し第二当接部１２と平行となった状態における第二当接部１２と下端部２５との距離は、第二枠体３０ｂの側面部３２の高さと等しく設定することが望ましい。このような設定とすることにより、ボルト軸部９２が第一中間部１３ｄと直交した状態で、下端部２５が第二枠体３０ｂの底面部３３に当接すると共に、第二下壁部２２が第二枠体３０ｂの側面部３２に近接して沿っている状態となる。
【００４３】
或いは、間装部材１ａの下端部２５が第二当接部１２の下方に位置し第二当接部１２と平行となった状態における第二当接部１２と下端部２５との距離は、第二枠体３０ｂの側面部３２の高さより僅かに大きく、又は、僅かに小さく設定することもできる（例えば、±５．０ｍｍ）。このような設定であっても、ボルト軸部９２の第一中間部１３ｄに対する角度は直角から僅かに傾くものの、ボルト軸部９２の雌ネジ孔部２８に対する締め込みによって、下端部２５を第二枠体３０ｂの底面部３３に当接させることができる。
【００４４】
上記のように取付けることにより、次のような間装部材１ａの取付構造が形成される。すなわち、屋根上に隣接して配されている太陽電池パネルＰの内、軒側に配されている太陽電池パネルＰの棟側の端辺を保持している第一枠体３０ａ、及び、棟側に配されている太陽電池パネルＰの軒側の端辺を保持している第二枠体３０ｂが、間に空隙Ｓが形成されている状態で、且つ、それぞれの底面部３３より下方に空隙が形成されている状態で屋根面に固定されており、間装部材１ａが空隙Ｓに取付けられている取付構造であり、第一枠体３０ａの上面部３１に第一当接部１１の底面が当接し、第二枠体３０ｂの上面部３１に第二当接部１２の底面が当接していると共に、第一枠体３０ａの側面部３２に第一側壁部１４の第一当接部１１側の平面が当接しており、長孔部１８に挿通されたボルト９０のボルト軸部９２が雌ネジ孔部２８と螺合し、下端部２５が第二枠体３０ｂの底面部３３に当接している取付構造である。
【００４５】
以上のように、第一実施形態の間装部材１ａ及びその取付構造では、間装部材１ａをその全長にわたり第一枠体３０ａ及び第二枠体３０ｂによって支持させることができる。これにより、隣接する枠体を屋根面に固定するための固定部材のみに間装部材が支持されており、固定部材のない部分では間装部材が何にも支持されていなかった従来と比べて、間装部材１ａの取付強度が高められていると共に、長尺であっても撓むおそれが低減されている。
【００４６】
そして、屋根面が傾斜している場合、間装部材１ａには軒側の第一枠体３０ａに向かう方向の力がかかるが、第一枠体３０ａの側面部３２に当接している第一側壁部１４がこの力に抗すると共に、第二枠体３０ｂの底面部３３に下端部２５が当接することによって抗するため、間装部材１ａの姿勢が安定的に維持される。加えて、本実施形態の間装部材１ａでは、第二枠体３０ｂの側面部３２に近接している第二下壁部２２の少なくとも下部が、第二枠体３０ｂの側面部３２に当接することによってもこの力に抗するため、間装部材１ａの姿勢が更に安定的に維持される。
【００４７】
また、間装部材１ａは、第一枠体３０ａ及び第二枠体３０ｂに取付けられた状態では、下端部２５が第二当接部１２の下方に位置する構成であるため、仮に第二部材２０が第一部材１０に対して固定された構成である場合は、第一当接部１１及び第二当接部１２をそれぞれ第一枠体３０ａ及び第二枠体３０ｂの上面部に当接させるように取付けようとした場合に、枠体間の空隙Ｓに第二部材２０を挿入することが難しい。これに対し、間装部材１ａは、第一部材１０に対して第二部材２０がヒンジの軸周りに回動する構成であるため、取付け作業時に第二部材２０の姿勢を変えることにより、枠体間の空隙Ｓに上方から挿入して取付けることができる。これにより、第一枠体３０ａ及び第二枠体３０ｂが既に屋根上に固定された後からであっても、容易に間装部材１ａを取付けて枠体間の空隙Ｓを埋めることができる。
【００４８】
なお、ここで例示している固定部材５０では、押圧部材５２が枠体間の空隙Ｓを埋めている。従って、図３に示すように、間装部材１ａの軸方向Ｙの長さを、隣接する固定部材５０間の距離に相当する長さとすれば、間装部材１ａと固定部材５０とによって枠体間の空隙Ｓを完全に埋めることができる。
【００４９】
なお、図３では、第一部材１０と第二部材２０の軸方向Ｙの長さが等しい場合を例示しているが、第二部材２０の長さが第一部材１０の長さより短く、一つの第一部材１０に対して複数の第二部材２０を具備する構成の間装部材とすることができる。つまり、第一部材１０によって枠体間の空隙Ｓを埋め、第一部材１０と第二部材２０との協働によって第一枠体３０ａ及び第二枠体３０ｂへの間装部材１ａの取付け姿勢を安定させるためには、第二部材２０は、第一部材１０においてボルト軸部９２を挿通するための長孔部１８が設けられた位置に対応させて、長孔部１８と同数だけあれば足りる。このような構成とすることにより、間装部材１ａが非常に長尺であっても、必要な材料を低減しコストを抑えることができると共に、間装部材１ａを軽量化することができる。
【００５０】
次に、第一実施形態の変形例の間装部材１ｂ及びその取付構造について、図４を用いて説明する。ここでは、間装部材１ａと同様の構成については同一の符号を付し、詳細な説明は省略する。間装部材１ｂの構成が間装部材１ａと相違する点は、雪止め部１９を有している点であり、その他の構成、第一枠体３０ａ及び第二枠体３０ｂへの取付け方法は、間装部材１ａと同様である。
【００５１】
具体的には、雪止め部１９は、第一部材１０の第一当接部１１において軸方向Ｙと平行な自由端から、上方に向かってほぼ直角に延出している。このように、間装部材１ｂが雪止め部１９を具備することにより、枠体間の空隙Ｓから屋根面上に雪が落ちたり、空隙Ｓに雪が溜まったりすることを第一部材１０によって防止しながら、屋根から雪が滑り落ちることを雪止め部１９によって抑制することができる。
【００５２】
そして、雪止め部１９が雪を堰き止めた場合、間装部材１ｂには、屋根面が傾斜していることにより自重によってかかる力より、雪の荷重分だけ大きな力が第一枠体３０ａに向かう方向に作用する。しかしながら、上記のように第一枠体３０ａの側面部３２に当接している第一側壁部１４、第二枠体３０ｂの底面部３３に当接している下端部２５、及び、第二枠体３０ｂの側面部３２に近接している第二下壁部２２がこの力に抗するため、間装部材１ｂの姿勢は安定的に維持される。
【００５３】
次に、第一実施形態の第二の変形例の間装部材１ｃ及び第三の変形例の間装部材１ｄについて、図５及び図６を用いて説明する。間装部材１ｃ，１ｄの構成は、雪止め部の有無と雪止め部の位置を除き、間装部材１ａ，１ｂの構成とほぼ同一であるが、間装部材１ａ，１ｂに比べて下壁部２１の長さが短く、その分だけ第二下壁部２２が長い。また、間装部材１ａ，１ｂに比べて第二中間部２３の長さが短く、その分だけ下端部２５の長さが長い。
【００５４】
このような各部のサイズの相違は、間装部材１ｃ，１ｄが取付けられる枠体、及び、枠体を桟材８０に固定するための固定部材として、上記の枠体（第一枠体３０ａ及び第二枠体３０ｂ）及び固定部材５０とは異なる構成のものが用いられることによる。
【００５５】
間装部材１ｃ，１ｄが取付けられる第一枠体３０ｃ及び第二枠体３０ｄは、基本的な構成は第一枠体３０ａ及び第二枠体３０ｂと同一であるが、それぞれ底面部３３が側面部３２との接続位置を超えて外側まで延出してフランジ状になっており、その先端から上方に向かって直角に延出している立設部３６を有している点で、相違している。
【００５６】
そして、隣接する第一枠体３０ｃ及び第二枠体３０ｄを桟材８０に固定する固定部材６０は、外形が略矩形で平板状の天板部６１と、天板部６１の一対の側辺からそれぞれ下方に延出している一対の脚板部６２と、天板部６１の中央に貫設された貫通孔６５とを備えている。詳細な図示は省略しているが、それぞれの脚板部６２の下端には、弾性変形しつつ対象物に突き刺さる刃部が形成されている。
【００５７】
このような構成の固定部材６０で第一枠体３０ｃ及び第二枠体３０ｄを桟材８０に取付けるには、まず、ボルト７０を倒立させ、ボルト頭部を桟材のスリットの内部に位置させる。そして、スリットを介してボルト軸部７２を桟材８０の上面より上方に突出させた状態で、ナット７８を桟材の上面に留め付けることにより、ボルト７０を桟材に固定する。なお、図５では、桟材及びボルト頭部の図示を省略している。
【００５８】
この状態で、第一枠体３０ｃ及び第二枠体３０ｄそれぞれの立設部３６の間にナット７８が位置し、且つ、第一枠体３０ｃ及び第二枠体３０ｄが桟材に交差するように、第一枠体３０ｃ及び第二枠体３０ｄを桟材の上面に載置する。そして、上方に突出しているボルト軸部７２を、固定部材６０の天板部６１の貫通孔６５に下方から挿通しつつ、固定部材６０の一対の脚板部６２の一方を第一枠体３０ｃの底面部３３におけるフランジ状の部分に載置し、脚板部６２の他方を第二枠体３０ｃの底面部３３におけるフランジ状の部分に載置する。更に、ボルト軸部７２の先端からナット７９を螺合させ、固定部材６０の天板部６０に留め付ける。これにより、固定部材６０は下方に押圧され、一対の脚板部６２の先端が弾性変形しつつ、先端の刃部が枠体の底面部３３におけるフランジ状の部分に突き刺さる。このようにして、第一枠体３０ｃ及び第二枠体３０ｄは、双方の側面部３２間に、固定部材６０の幅長さに相当する空隙を有する状態で桟材に取付けられ、その空隙には、上記と同様の方法で間装部材１ｃまたは１ｄを取付けることができる。なお、図５（ａ）〜（ｂ）は、第一枠体３０ｃ及び第二枠体３０ｄへの間装部材の取り付け及び取付構造を、間装部材１ｃにより例示しているが、図５（ｂ）では固定部材６０及びボルト７０の図示を省略している。
【００５９】
これにより、上記と同様の取付構造、すなわち、第一枠体３０ｃの上面部３１に第一当接部１１の底面が当接し、第二枠体３０ｄの上面部３１に第二当接部１２の底面が当接していると共に、第一枠体３０ａの側面部３２に第一側壁部１４の第一当接部１１側の平面が当接しており、長孔部１８に挿通されたボルト９０のボルト軸部９２が雌ネジ孔部２８と螺合し、下端部２５が第二枠体３０ｄの底面部３３に当接している取付構造、が形成される。
【００６０】
ここで、間装部材１ｃ，１ｄでは、下壁部２１と第二中間部２３との境界線が第一側壁部１４の延長線上に達するまで第二部材２０が回動した状態で、第一側壁部１４の延長線と下端部２５の先端との距離が、第一枠体３０ｃの側面部３２と第二枠体３０ｄの立設部３６との間の距離より短く、第一側壁部１４と第二下壁部２２との距離が、第一枠体３０ｃの側面部３２と第二枠体３０ｄの立設部３６との間の距離より僅かに小さい設定とする（例えば、−０．１ｍｍ〜−５．０ｍｍ）。また、間装部材１ｃ，１ｄの下端部２５が第二当接部１２の下方に位置し第二当接部１２と平行となった状態における第二当接部１２と下端部２５との距離は、第二枠体３０ｄの側面部３２の高さと等しく、或いはほぼ等しく（例えば、±５．０ｍｍ）設定される。このような設定とすることにより、下端部２５が第二枠体３０ｄの底面部３３に当接すると共に、第二下壁部２２が第二枠体３０ｄの立設部３６に近接して沿っている状態となる。
【００６１】
間装部材１ｃ，１ｄ及びその取付構造によれば、上記の間装部材１ａ，１ｂ及びその取付構造と同様の作用効果を得ることができる。加えて、固定部材６０に第一枠体３０ｃ及び第二枠体３０ｄの上面に当接する部分がなく、固定部材６０が第一枠体３０ｃ及び第二枠体３０ｄを、それぞれにおける低い部位（底面部３３のフランジ状の部分）で桟材に固定するため、第一枠体３０ｃ及び第二枠体３０ｄの軸方向における全長にわたり、それぞれの側面部３２間に空隙Ｓが形成される。そこで、図６に示すように、間装部材１ｃ，１ｄの軸方向の長さを、同方向における第一枠体３０ｃ及び第二枠体３０ｄの全長と同一の長さとすることができる。
【００６２】
図６では、第一部材１０のみが第一枠体３０ｃ及び第二枠体３０ｄの全長と同一の長さであり、第二部材２０の長さは第一部材１０より短い場合を図示している。第一部材１０には、その両端側にボルト軸部９２を挿通するための長孔部１８が形成されており、その位置に対応させて第二部材２０が二つ設けられている。
【００６３】
なお、間装部材１ｃは間装部材１ｂと同様に雪止め部を有しているが、間装部材１ｃの雪止め部１９ｃは、第二当接部１２と連結部１３との接続部分から上方に突出している。また、間装部材１ｄは、間装部材１ａと同様に雪止め部を備えていない例である。
【００６４】
次に、第二実施形態の間装部材２ａ、第二実施形態の変形例の間装部材２ｂ、及びそれらの取付構造について、図７（ａ）〜図７（ｃ）を用いて説明する。第一実施形態と同様の構成については同一の符号を付し、詳細な説明は省略する。間装部材２ａ，２ｂがそれぞれ間装部材１ａ，１ｂと相違しているのは第二部材２０の構成であり、第一部材１０の構成は同一である。具体的には、間装部材１ａ，１ｂでは下端部２５が第二中間部２３と平行であるのに対し、間装部材２ａ，２ｂでは下端部２５が第二中間部２３と同一面上に、第二中間部２３の端部から延出している。また、間装部材１ａ，１ｂでは、下端部２５が第二下壁部２２を介して第二中間部２３に接続されていたのに対し、間装部材２ａ，２ｂでは、第二下壁部２２は第二中間部２３と下端部２５との接続部分から上方に突出している。
【００６５】
このような構成の間装部材２ａ，２ｂは、間装部材１ａ，１ｂと同様に、底面部３３がフランジ状に突出していない第一枠体３０ａ及び第二枠体３０ｂが、固定部材５０のように枠体の上面部３１に当接する部分を有する固定部材によって桟材に固定されている場合に、枠体間の空隙を埋める間装部材として適している。
【００６６】
ここで、間装部材２ａ，２ｂでは、下壁部２１と第二中間部２３との境界線が第一側壁部１４の延長線上に達するまで第二部材２０が回動した状態で、第一側壁部１４の延長線と下端部２５の先端との距離が枠体間の空隙より短くなるように設定され、第一側壁部１４と第二下壁部２２との距離が枠体間の距離より僅かに小さく（例えば、−０．１ｍｍ〜−５．０ｍｍ）設定されること、及び、下端部２５が第二当接部１２の下方に位置し第二当接部１２と平行となった状態における第二当接部１２と下端部２５との距離が、枠体の高さと等しく、或いはほぼ等しく（例えば、±５．０ｍｍ）設定されることは、間装部材１ａ，１ｂと同様である。
【００６７】
上記構成の間装部材２ａ，２ｂは、間装部材１ａ，１ｂと同様の方法で第一枠体３０ａ及び第二枠体３０ｂに取付けることができ、間装部材２ａ，２ｂ及びその取付構造は、上記の間装部材１ａ，１ｂ及びその取付構造と同様の作用効果を奏する。
【００６８】
次に、第三実施形態の間装部材３、及びその取付構造について、図８（ａ）〜図８（ｃ）及び図９を用いて説明する。第一実施形態と同様の構成については同一の符号を付し、詳細な説明は省略する。間装部材３が第一実施形態の間装部材１ａ〜１ｄと相違しているのは、主に第一部材１０の構成である。具体的には、第一実施形態の第一部材１０では、連結部１３が第一当接部１１と第二当接部１２とを同じ高さで連結しており、第一中間部１３ｄが連結部１３と同一の構成であったのに対し、第三実施形態では連結部１３は第一当接部１１と第二当接部１２とを、それらより低い高さで連結している点である。すなわち、第三実施形態の連結部１３は、第一当接部１１及び第二当接部１２と平行で、且つ、低い位置にある第一中間部１３ｄと、第一中間部１３ｄの一方の端部と第一当接部１１の端部とを直角に連結する第一立壁部１３ｃと、第一中間部１３ｄの他方の端部と第二当接部１２の端部とを直角に連結する第二立壁部１３ｅとからなる。そして、第一立壁部１５は、連結部１３と第一当接部１１との接続部から下方に延出している第一側壁部１４の一部をなしており、第一側壁部１４は第一中間部１３ｄと第一立壁部１３ｃとの接続部から更に下方に延出している。
【００６９】
一方、第二部材２０は、第一実施形態の第二部材２０とほぼ同一の構成であるが、第一中間部１３ｄが第一実施例より低い位置にある分、下壁部２１及び第二下壁部２２の長さがそれぞれ第一実施形態より短く設定されている。ここで、間装部材３では、下壁部２１と第二中間部２３との境界線が第一側壁部１４の延長線上に達するまで第二部材２０が回動した状態で、第一側壁部１４の延長線と下端部２５の先端との距離が枠体間の空隙より短くなるように設定されること、第一側壁部１４と第二下壁部２２との距離が枠体間の距離より僅かに小さく（例えば、−０．１ｍｍ〜−５．０ｍｍ）設定されること、及び、下端部２５が第二当接部１２の下方に位置し第二当接部１２と平行となった状態における第二当接部１２と下端部２５との距離が、枠体の高さと等しく、或いはほぼ等しく（例えば、±５．０ｍｍ）設定されることは、間装部材１ａ，１ｂと同様である。
【００７０】
なお、ここでは、間装部材３が、第一当接部１１と連結部１３との接続部から上方に突出している雪止め部１９ｄを具備している場合を例示しているが、このような雪止め部を有しない構成の間装部材とすることもできる。
【００７１】
上記構成の間装部材３は、間装部材１ａ，１ｂと同様の方法で第一枠体３０ａ及び第二枠体３０ｂに取付けることができ、間装部材３及びその取付構造は、上記の間装部材１ａ，１ｂ及びその取付構造と同様の作用効果を奏する。加えて、間装部材３の第一部材１０では、第一中間部１３ｄが第一当接部１１及び第二当接部１２より低い位置にあるため、図８（ｃ）及び図９に示すように、軸方向に直交する断面の形状が下方に開口した逆Ｕ字形の長尺材であるカバー部材８５を、第一部材１０における第一立壁部１３ｃ及び第二立壁部１３ｅとの間の空隙に嵌装することができる。
【００７２】
従来、このようなカバー部材８５は、固定部材５０の押圧部材５２における一対の立板部５２ｂ間の空隙に嵌装し、固定部材５０のみによって支持させていた。そのため、隣接する固定部材５０間の距離が大きい場合は、カバー部材８５において何にも支持されていない部分が長く、自重により撓むおそれがあった。これに対し、間装部材３は、第一枠体３０ａ及び第二枠体３０ｂに対して任意の位置に任意の数だけ、容易に後付けすることができるため、カバー部材８５を間装部材３によって処々で支持することができる。これにより、カバー部材８５が長尺であっても撓むおそれが低減される。
【００７３】
なお、間装部材３の第一部材１０における第一立壁部１３ｃ及び第二立壁部１３ｅ間の距離を、固定部材５０の押圧部材５２における一対の立板部５２ｂ間の距離とほぼ等しい設定とすれば、図９に示すように、一つのカバー部材８５を複数の間装部材３と固定部材５０とによって支持させることができ、カバー部材８５の軸方向の長さを同方向の第一枠体３０ａ及び第二枠体３０ｂの全長と等しい長さとしながら、その撓みを有効に抑制することができる。そして、カバー部材８５によって、枠体間の空隙Ｓを埋めることができると共に、間装部材３の長孔部１８周りや固定部材５０の貫通孔５２ｄ周りの僅かな空隙を、その上方で完全に被覆することができる。
【００７４】
以上のように、第一実施形態〜第三実施形態の間装部材１ａ〜１ｄ，２ａ，２ｂ，３及びこれらの取付構造によれば、第一部材１０を全長にわたり第一枠体及び第二枠体に支持させることができるため、枠体間の空隙Ｓに十分な取付強度で取付けることができると共に、長尺であっても撓むおそれが低減されている。加えて、第一側壁部１４を第一枠体の側面部３２に当接させると共に、下端部２５を第二枠体の底面３３に当接させることができるため、枠体間の空隙Ｓにおける間装部材の姿勢を安定させることができる。
【００７５】
また、これらの間装部材１ａ〜１ｄ，２ａ，２ｂ，３では、第二部材２０が第一部材１０に対してヒンジの軸周りに回動するため、第一枠体及び第二枠体が既に屋根上に固定された後から、枠体間の空隙Ｓに容易に取付けることができる。
【００７６】
また、間装部材１ｂ，１ｄ，２ｂ，３は雪止め部を有しているため、枠体間の空隙Ｓを埋める間装部材に、雪止め部材の作用を兼ねさせることができる。
【００７７】
更に、間装部材１ｃ，１ｄは、枠体に対する固定部材６０の位置が低い場合の使用に適しており、軸方向の長さを枠体の全長と等しい設定とすることができる。
【００７８】
加えて、間装部材３は、連結部１３の断面が略Ｕ字状であるため、逆Ｕ字状の断面を有する長尺のカバー部材８５を複数の間装部材３で支持することができ、枠体間の空隙Ｓをカバー部材８５によってほぼ完全に被覆することができる。
【００７９】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００８０】
例えば、上記では、本発明の間装部材の取付対象が、隣接する太陽電池パネルをそれぞれ保持する枠体である場合を例示したが、これに限定されない。上記のような桟材を使用して屋根面に太陽電池パネルを設置する場合、外観上の理由で、最も軒側に配された太陽電池パネルより軒側で桟材に交差させて軒カバーを載置し、最も棟側に配された太陽電池パネルより棟側で桟材に交差させて棟カバーを載置することが多い。このような場合、図１０（ａ）〜（ｃ）に例示するように、太陽電池パネルを保持する枠体と軒カバー４０の間の空隙に、本発明の間装部材を取付けることができる。或いは、枠体と棟カバーとの間の空隙に、本発明の間装部材を取付けることができる。
【００８１】
図１０（ａ）〜（ｃ）に例示する軒カバー４０は、平板状の側面部４２と、側面部４２の上端から軒側に延出した上面部４１と、側面部４２の下端から軒側及び棟側にそれぞれ延出した底面部４３と、底面部４３の棟側の端部から上方に延出した立設部４６と、上面部４１の軒側の端部から底面部４３の軒側の端部までを連結すると共に、更に下方まで延出した化粧面部４４を有している。ここでは、太陽電池パネルＰを保持する枠体は上記の第二枠体３０ｄであり、その側面部３２より外側に延出しているフランジ状の底面部３３と、軒カバー４０の底面部４３において棟側に延出している部分とに、上記の固定部材６０を載置することにより、軒カバー４０と第二枠体３０ｄとをボルト７０によって桟材（図示しない）に固定している。そして、このように空隙をあけて固定された軒カバー４０と第二枠体３０ｄとの間の空隙に、上記と同様の手順で間装部材１ｄを取付けることができる。なお、図１０（ｃ）に示した取付構造では、間装部材１ｄに代替して間装部材１ｃが取付けられたものとすることもできる。
【００８２】
なお、それぞれ底面部にフランジ状の部分を有さない軒カバーと枠体とを、上記の固定部材５０で桟材に固定した上で、その間の空隙に間装部材１ａ，１ｂ，２ａ，２ｂ，３を取付けることもできる。また、軒カバーと枠体との間に間装部材を取付ける場合と同様に、棟カバーと枠体との間に間装部材を取付けることができる。
【００８３】
また、上記では、何れも第一のヒンジ構成部がヒンジ軸挿入部１７であり、第二のヒンジ軸構成部がヒンジ軸２７である場合を例示した。何れの実施形態の間装部材１ａ〜１ｄ，２ａ，２ｂ，３においても、第一のヒンジ構成部をヒンジ軸とすると共に第二のヒンジ軸構成部をヒンジ軸挿入部とすることができ、その場合も上記と同様の作用効果を得ることができる。
【符号の説明】
【００８４】
１ａ，１ｂ，１ｃ，１ｄ，２ａ，２ｂ，３  間装部材
１０  第一部材
１１  第一当接部
１２  第二当接部
１３  連結部
１３ｄ  第一中間部
１４  第一側壁部
１７  ヒンジ軸挿入部（第一のヒンジ構成部）
１８  長孔部
２０  第二部材
２１  下壁部
２２  第二下壁部
２３  第二中間部
２５  下端部
２７  ヒンジ軸（第二のヒンジ構成部）
３０ａ，３０ｃ  第一枠体
３０ｂ，３０ｄ  第二枠体
３１  上面部
３２  側面部
３３  底面部
Ｐ  太陽電池パネル
【図１】
0006440596.tif 000002
【図２】
0006440596.tif 000003
【図３】
0006440596.tif 000004
【図４】
0006440596.tif 000005
【図５】
0006440596.tif 000006
【図６】
0006440596.tif 000007
【図７】
0006440596.tif 000008
【図８】
0006440596.tif 000009
【図９】
0006440596.tif 000010
【図１０】
0006440596.tif 000011
【図１１】
0006440596.tif 000012